(57)【特許請求の範囲】
【請求項１】
実際のロケット弾の発射台に搭載されて実際のロケット弾の発射訓練や展示演習にロケット弾の代わりとして用いられる模擬ロケット弾であって、発射台の前後方向に互いに略等しい推力を発生する模擬駆動源を備え、この模擬駆動源により発射台の前後方向に互いに略等しい推力を生じさせることで、実際のロケット弾の排気煙および発射音に相当する煙および音を発射台に止まったまま発射台の前後方向に発生することを特徴とする模擬ロケット弾。
【請求項２】
実際のロケット弾の排気煙に相当する煙を発生する模擬排気煙発生手段および模擬排気煙発生手段により生じた模擬排気煙を噴出させて実際のロケット弾の発射音に相当する音を発生するノズルを具備した推力が互いに略等しい模擬駆動ユニットを２組備えていると共に、２組の模擬駆動ユニットを収容して実際のロケット弾の発射台に搭載される筒体を備え、２組の模擬駆動ユニットの各ノズルを同軸でかつ各々の向きを逆にして筒体に固定したことを特徴とする模擬ロケット弾。
【請求項３】
模擬駆動ユニットの模擬排気煙発生手段を固体推進薬とした請求項２に記載の模擬ロケット弾。
【請求項４】
２組の模擬駆動ユニットの各固体推進薬を対向させて配置し、両固体推進薬の間に各々の点火器をそれぞれ設けた請求項３に記載の模擬ロケット弾。
【請求項５】
一方の固体推進薬の点火器が他方の固体推進薬の点火器を兼ねている請求項４に記載の模擬ロケット弾。
【請求項６】
模擬駆動ユニットで生じる推力により張り裂けるキャップによって筒体の両端開口を閉塞した請求項２ないし５のいずれかに記載の模擬ロケット弾。
【請求項７】
筒体を実際のロケット弾装填用のランチャーとした請求項２ないし６のいずれかに記載の模擬ロケット弾。
【発明の詳細な説明】
【０００１】
【発明の属する技術分野】
本発明は、実際のロケット弾の発射訓練や展示演習にロケット弾の代わりとして用いられる模擬ロケット弾に関するものである。
【０００２】
【従来の技術】
従来、上記したロケット弾の発射訓練や展示演習には、実際にロケット弾を発射して行う場合と、ロケットランチャーの後端を閉塞して火薬を装填した空砲を用いて行う場合があった。
【０００３】
【発明が解決しようとする課題】
ところが、従来において、実際のロケット弾を使用する場合には、発射地点から着弾予想地点までの間に民家の存在しない広大な土地を確保する必要があるうえ、発射時にイグナイタ（点火器）などの備品がロケットランチャーの後方へ飛散することから、現実的には、実際のロケット弾を用いて発射訓練や展示演習を行うことは困難であるという問題があった。
【０００４】
一方、空砲を用いて行う場合には、火薬燃焼時の煙や音はロケットランチャーの前端開口から発生するだけであり、しかも、この時の音は大砲の発射音に似たものとなることから、ロケット弾の発射訓練や展示演習に適しているとはいえず、加えて、火薬が燃焼する際に生じる圧力に耐え得るだけの補強をロケットランチャーに施しておかなくてはならないという問題を有しており、これらの問題を解決することが従来の課題となっていた。
【０００５】
【発明の目的】
本発明は、上記した従来の課題に着目してなされたもので、飛散物を極力少なく抑えたうえで、飛翔することなく発射台に止まったまま発射台の前後方向に実際のロケット弾の排気煙および発射音に相当する煙および音を発生させることができ、加えて、固定のための特別な補強を省くことができる模擬ロケット弾を提供することを目的としている。
【０００６】
【課題を解決するための手段】
本発明の請求項１に係わる模擬ロケット弾は、実際のロケット弾の発射台に搭載されて実際のロケット弾の発射訓練や展示演習にロケット弾の代わりとして用いられる模擬ロケット弾であって、発射台の前後方向に互いに略等しい推力を発生する模擬駆動源を備え、この模擬駆動源により発射台の前後方向に互いに略等しい推力を生じさせることで、実際のロケット弾の排気煙および発射音に相当する煙および音を発射台に止まったまま発射台の前後方向に発生する構成としたことを特徴としており、この模擬ロケット弾の構成を従来の課題を解決するための手段としている。
【０００７】
本発明の請求項２に係わる模擬ロケット弾は、実際のロケット弾の排気煙に相当する煙を発生する模擬排気煙発生手段および模擬排気煙発生手段により生じた模擬排気煙を噴出させて実際のロケット弾の発射音に相当する音を発生するノズルを具備した推力が互いに略等しい模擬駆動ユニットを２組備えていると共に、２組の模擬駆動ユニットを収容して実際のロケット弾の発射台に搭載される筒体を備え、２組の模擬駆動ユニットの各ノズルを同軸でかつ各々の向きを逆にして筒体に固定した構成としたことを特徴としており、この模擬ロケット弾の構成を従来の課題を解決するための手段としている。
【０００８】
本発明の請求項３に係わる模擬ロケット弾は、模擬排気煙発生手段をガス発生剤などの固体推進薬とした構成とし、本発明の請求項４に係わる模擬ロケット弾は、２組の模擬駆動ユニットの各固体推進薬を対向させて配置し、両固体推進薬の間に各々の点火器をそれぞれ設けた構成とし、本発明の請求項５に係わる模擬ロケット弾は、一方の固体推進薬の点火器が他方の固体推進薬の点火器を兼ねている構成としている。
【０００９】
本発明の請求項６に係わる模擬ロケット弾は、模擬駆動ユニットで生じる推力により張り裂けるキャップによって筒体の両端開口を閉塞した構成とし、本発明の請求項７に係わる模擬ロケット弾は、筒体を実際のロケット弾装填用のランチャーとした構成としている。
【００１０】
【発明の作用】
本発明の請求項１に係わる模擬ロケット弾では、模擬駆動源を作動させて発射台の前後方向に互いに略等しい推力を生じさせると、発射台に止まったままの状態で、実際のロケット弾の排気煙および発射音に相当する煙および音が発射台の前後方向に発生するので、広大な土地を必要とすることなく実際のロケット弾を使用した場合さながらの発射訓練や展示演習が行われることとなる。
【００１１】
本発明の請求項２に係わる模擬ロケット弾において、作動時には２組の模擬駆動ユニットで生じる推力が相殺されるので、発射台に止まったままの状態で、実際のロケット弾の排気煙および発射音に相当する煙および音が発射台の前後方向に発生することとなり、加えて、２組の模擬駆動ユニットを筒体に固定するための特別な補強が不要なものとなる。
【００１２】
本発明の請求項３に係わる模擬ロケット弾では、実際のロケット弾の排気煙および発射音とほぼ同等の煙および音が発生するので、発射訓練や展示演習がより一層実戦に即したものとなり、本発明の請求項４に係わる模擬ロケット弾では、２組の模擬駆動ユニットの各固体推進薬間に各々の点火器がそれぞれ位置することから、作動時に各々の点火器が筒体の外部に飛散することが阻止されることとなり、本発明の請求項５に係わる模擬ロケット弾では、点火器が１個で済む分だけコストの低減化が図られることとなる。
【００１３】
本発明の請求項６に係わる模擬ロケット弾において、発射訓練や展示演習に使用するまでは、筒体内部への塵埃や湿気の侵入が阻止されるので、保存性が良好なものとなり、一方、作動時には模擬駆動ユニットで生じる推力によりキャップが張り裂けるので、キャップの飛散が回避されることとなる。
【００１４】
本発明の請求項７に係わる模擬ロケット弾では、実際のロケット弾を装填するランチャーを用いるので、訓練コストの低減化が図られることとなる。
【００１５】
【発明の効果】
本発明の請求項１に係わる模擬ロケット弾では、上記した構成としたため、模擬駆動源を作動させて発射台の前後方向に互いに略等しい推力を生じさせることで、発射台に止まったままの状態で、実際のロケット弾の排気煙および発射音に相当する煙および音を発射台の前後方向に発生させることができ、したがって、広大な土地を必要とすることなく実際のロケット弾を使用した場合と同じ雰囲気での発射訓練や展示演習を行うことが可能であるという極めて優れた効果がもたらされる。
【００１６】
本発明の請求項２に係わる模擬ロケット弾では、上記した構成としているので、発射台に止まったままの状態で、実際のロケット弾の排気煙および発射音に相当する煙および音を発射台の前後方向に発生させることが可能であり、加えて、２組の模擬駆動ユニットで生じる推力が互いに打ち消し合うので、２組の模擬駆動ユニットを筒体に固定するための特別な補強を省くことができるという極めて優れた効果がもたらされる。
【００１７】
本発明の請求項３に係わる模擬ロケット弾では、上記した構成としているので、より一層実戦に即した発射訓練や展示演習を行うことが可能であり、本発明の請求項４に係わる模擬ロケット弾では、作動時に点火器が筒体の外部に飛散することを回避でき、本発明の請求項５に係わる模擬ロケット弾では、部品点数が少なくて済む分だけコストの低減化を実現できるという極めて優れた効果がもたらされる。
【００１８】
本発明の請求項６に係わる模擬ロケット弾において、発射訓練や展示演習に使用するまでは、筒体内部への塵埃や湿気の侵入を阻止できるため、保存性を良好なものとすることが可能であり、一方、作動時には、キャップの飛散を阻止することが可能であるという極めて優れた効果がもたらされ、本発明の請求項７に係わる模擬ロケット弾では、訓練コストの低減化が実現可能であるという極めて優れた効果がもたらされる。
【００１９】
【実施例】
以下、本発明を図面に基づいて説明する。
【００２０】
図１および図２は本発明に係わる模擬ロケット弾の一実施例を示している。
【００２１】
図１（ａ）に示すように、この模擬ロケット弾１は、実際のロケット弾の排気煙に相当する煙を発生する模擬排気煙発生手段としてのガス発生剤（固体推進薬）２およびガス発生剤２により生じた模擬排気煙を噴出させて実際のロケット弾の発射音に相当する音を発生するノズル３を具備した推力が互いに略等しい模擬駆動ユニット４を２組備えていると共に、２組の模擬駆動ユニット４，４を収容する筒体を備えており、この実施例において、筒体として実際のロケット弾を装填するためのランチャー５を用いている。
【００２２】
模擬駆動ユニット４のガス発生剤２は、中空状の発生剤保持ブロック６に装填してあり、ガス発生剤２およびノズル３は、発生剤保持ブロック６のノズル側フランジ６ａとノズル３のスロート側フランジ３ａとをボルト８によって連結することにより一体化してある。
【００２３】
この場合、２組の模擬駆動ユニット４，４を各々のノズル３，３が同軸をなしかつ互いに離間する方向に向くようにしてランチャー５の後端部（図示右端部）に配置することで、互いに相反する方向に互いに略等しい推力を発生する模擬駆動源を構成するようにしてあり、互いに対向する各ガス発生剤２，２の間には、両ガス発生剤２，２兼用のイグナイタ（点火器）９を保持した中間ブロック１０が設けてある。これらの模擬駆動ユニット４，４は、各発生剤保持ブロック６，６のノズルとは反対側のフランジ６ｂ，６ｂと中間ブロック１０の両端に位置するフランジ１０ａ，１０ａとをそれぞれボルト１１を介して固定することにより連結してあり、このようにして一体化した模擬駆動ユニット４，４は、その軸心をランチャー５の軸心に合致させた状態でこのランチャー５に設けた螺旋レール５ａに固定してある。
【００２４】
また、模擬ロケット弾１は、ランチャー５の両端開口を閉塞するキャップ１２を備えており、ランチャー５の後端開口を閉塞するキャップ１２は、ノズル３のスカート側フランジ３ｂにボルト１３を介して固定してあり、一方、ランチャー５の前端開口を閉塞するキャップ１２は、このランチャー５の前端部に設けたバランサウエイト１４にボルト１３を介して固定してある。この場合、キャップ１２の背面には、図１（ｂ）にも示すように、その中心から放射状に延びる複数本の溝１２ａが形成してあり、この模擬ロケット弾１の作動時において、模擬駆動ユニット４，４で生じる推力によって、中心からこれらの溝１２ａに沿って張り裂けるようになっている。ここで、溝１２ａの形成パターンとしては、上記放射状の他に、渦巻き状などが考えられる。
【００２５】
次に、この模擬ロケット弾１の動作を説明する。
【００２６】
まず、図２に示すように、模擬ロケット弾１を装軌車２０の連装発射台２１に搭載したのち、連装発射台２１を適宜発射角度にセットする。
【００２７】
次いで、模擬ロケット弾１に点火電源を供給してイグナイタ９を作動させ、２組の模擬駆動ユニット４，４の各ガス発生剤２，２に点火すると、ガス発生剤２，２の同時燃焼により生じる推力によって、ランチャー５の両端開口を閉塞するキャップ１２，１２がそれぞれ張り裂けて、実際のロケット弾の排気煙および発射音に相当する煙および音が２組の模擬駆動ユニット４，４の各ノズル３，３を通して連装発射台２１の前後方向に発生することとなり、実戦に即した発射訓練や展示演習が行われることとなる。
【００２８】
このとき、２組の模擬駆動ユニット４，４で生じる推力は相殺されることから、模擬ロケット弾１は、飛翔することなく発射台に止まった状態を維持することとなり、したがって、作動時において、ランチャー５は軸方向の負荷をほとんど受けないので、２組の模擬駆動ユニット４，４をランチャー５に固定するための特別な補強が不要なものとなる。
【００２９】
この実施例では、模擬排気煙発生手段としてガス発生剤（固体推進薬）２を用いているので、実際のロケット弾の排気煙および発射音とほぼ同等の煙および音が発生することとなり、したがって、発射訓練や展示演習がより一層実戦に即したものとなる。
【００３０】
また、この実施例において、２組の模擬駆動ユニット４，４の互いに対向するガス発生剤２，２の間にイグナイタ９を配置したため、ガス発生剤２，２の同時燃焼時にイグナイタ９がランチャー５の外部に飛散することが阻止されるうえ、イグナイタ９を両ガス発生剤２，２の兼用としているので、部品点数が少くなくなる分だけコストの低減化が図られることとなる。
【００３１】
さらに、この実施例では、保管時においてランチャー５の両端開口をキャップ１２，１２で閉塞するようにしているので、発射訓練や展示演習の使用に供するまでは、ランチャー５の内部への塵埃や湿気の侵入が阻止されることとなって、保存性が良好なものとなり、一方、作動時には模擬駆動ユニット４，４で生じる推力によりキャップ１２がその中心から複数本の溝１２ａに沿って張り裂けるので、キャップ１２の飛散が回避されることとなる。
【００３２】
さらにまた、この実施例では、実際のロケット弾を装填するランチャー５を筒体として用いているので、訓練コストの低減化が図られることとなる。
【００３３】
なお、本発明に係わる模擬ロケット弾の詳細な構成は、上記した実施例に限定されるものではない。
【図面の簡単な説明】
【図１】本発明に係わる模擬ロケット弾の一実施例を示す断面説明図（ａ）およびランチャーの両端開口を閉塞するキャップの背面説明図（ｂ）である。
【図２】図１の模擬ロケット弾を装軌車の連装発射台に搭載した状態を簡略的に示す側面説明図である。
【符号の説明】
１  模擬ロケット弾
２  ガス発生剤（固体推進薬；模擬排気煙発生手段）
３  ノズル
４  模擬駆動ユニット
５  ランチャー（筒体）
９  イグナイタ（点火器）
１２  キャップ
【図１】
0003905188.tif 000002
【図２】
0003905188.tif 000003